(57)【要約】      （修正有）【課題】撮影者が患部を正確に速やかにＸ線撮影することができる口内法Ｘ線撮影用補助具を提供することである。【解決手段】Ｘ線発生器４のＸ線照射部４０に着脱自在に装着されるアダプタ部と、前記アダプタ部からＸ線照射方向へ向けて延出する支持アーム２０と、前記支持アーム２０の先端部に設けられてＸ線発生器４から照射されるＸ線を面受するようにＸ線フィルムを着脱自在に保持するフィルムホルダとを備えた口内法Ｘ線撮影用補助具１において、前記Ｘ線発生器から照射されるＸ線の通過経路３５上に、Ｘ線の通過経路３５上から退避可能な照準指標を配置する。【選択図】図８
2010029637.tif 000002
【特許請求の範囲】
【請求項１】
Ｘ線発生器のＸ線照射部に着脱自在に装着されるアダプタ部と、前記アダプタ部からＸ線照射方向へ向けて延出する支持アームと、前記支持アームの先端部に設けられてＸ線発生器から照射されるＸ線を面受するようにＸ線フィルムを着脱自在に保持するフィルムホルダとを備えた口内法Ｘ線撮影用補助具において、
前記Ｘ線発生器から照射されるＸ線の通過経路上に、照準指標を配置できることを特徴とする口内法Ｘ線撮影用補助具。
【請求項２】
前記照準指標が、Ｘ線の通過経路上から退避可能であることを特徴とする請求項１に記載の口内法Ｘ線撮影用補助具。
【請求項３】
固定部と可動部とを有する照準器の固定部が支持アームに摺動可能に設置されており、可動部に前記照準指標が設けられていることを特徴とする請求項１又は請求項２に記載の口内法Ｘ線撮影用補助具。
【請求項４】
照準器の可動部は、固定部に対して回動及び停止が可能であることを特徴とする請求項３に記載の口内法Ｘ線撮影用補助具。
【請求項５】
前記照準指標が、Ｘ線の通過経路に沿って伸びていることを特徴とする請求項１乃至請求項４のうちのいずれかに記載の口内法Ｘ線撮影用補助具。
【発明の詳細な説明】
【技術分野】
【０００１】
本発明は、歯科医療における口内法Ｘ線撮影用補助具に関するものである。
【背景技術】
【０００２】
近時の高齢化社会においては、自宅や病院で寝たきりの老人が増加している。また、体の自由がきかない寝たきりの重度障害者も多い。このような寝たきりの老人や重度障害者の中には歯科疾患を抱える人が多く、歯科医院への通院が容易でないため訪問診療などに頼らざるを得ない。このような歯科疾患を有する寝たきり老人や重度障害者の治療に際しては、Ｘ線撮影の必要性は高く、抜歯や義歯の製作、調整時にもＸ線撮影は必須である。このような必然性から、携帯型の口内法Ｘ線撮影用補助具が開発され、使用されている。また、歯科医院（治療室）に備えた据置型の口内法Ｘ線撮影用補助具の利便性の改善も望まれている。
【０００３】
このような口内法Ｘ線撮影用補助具としては、本件の出願人の出願である特許文献１等が存在する。図１５は、特許文献１の口内法Ｘ線撮影用補助具１００の斜視図である。図１５に示すように、口内法Ｘ線撮影用補助具１００は、Ｘ線発生器のＸ線照射部（図示せず）を挿入する開口９６が設けてあるアダプタ部９０と、固定金具９５と固定つまみ９４とでアダプタ部９０に固定される支持アーム９１と、支持アーム９１の先端に固着されるフィルムホルダ９２とで構成されている。
【０００４】
アダプタ部９０には、固定つまみ９３が設けてある。図１５に示すように、固定つまみ９３はアダプタ部９０を貫通しており、その先端部９３ａでＸ線発生器のＸ線照射部（図示せず）を押圧することにより、Ｘ線照射部に対してアダプタ部９０を固定することができるようになっている。
【０００５】
ところで、撮影者はＸ線発生器を手で保持し患者の口内を撮影するが、Ｘ線の照射範囲はごく狭い範囲に限られており、ピンポイントで撮影するべき箇所にＸ線を通過させるにはある程度の熟練を要し、従来は撮影者の勘や感覚に頼るところが大きかった。
【０００６】
すなわち、Ｘ線発生器による撮影に熟練していなければ、Ｘ線写真の中心に患部が写るように撮影するのは困難であり、従来のＸ線発生器では、撮影者によっては、患部がフィルムの端に偏って写ってしまうことが多かった。
【先行技術文献】
【特許文献】
【０００７】
【特許文献１】特開２００３−１９０１５０公報
【発明の概要】
【発明が解決しようとする課題】
【０００８】
ところで、携帯型の口内法Ｘ線撮影用補助具１００においては、撮影者の一方の手は既にＸ線照射器で塞がっており、撮影者は、他方の手だけでアダプタ部９０（口内法Ｘ線撮影用補助具１００）を操作しなければならない。また、撮影時、患者の口内にはＸ線フィルムを装填したフィルムホルダ９２が挿入されており、患者に苦痛を感じさせる時間を短くするためにも、Ｘ線撮影は可能な限り速やかに行う必要がある。据置型の口内法Ｘ線撮影用補助具においても、撮影を速やかに行わなければならない事情は同じである。しかし、従来の口内法Ｘ線撮影用補助具では、撮影者は患部に照準が合っているか否かを感覚的に判断しなければならないために慎重に成らざるを得ず、患者の口内にフィルム及びフィルムホルダを入れてから速やかに撮影することはできなかった。
【０００９】
そこで本発明は、撮影者が患部を正確に速やかにＸ線撮影することができる口内法Ｘ線撮影用補助具を提供することを目的としている。
【課題を解決するための手段】
【００１０】
上記課題を解決するための請求項１の発明は、Ｘ線発生器のＸ線照射部に着脱自在に装着されるアダプタ部と、前記アダプタ部からＸ線照射方向へ向けて延出する支持アームと、前記支持アームの先端部に設けられてＸ線発生器から照射されるＸ線を面受するようにＸ線フィルムを着脱自在に保持するフィルムホルダとを備えた口内法Ｘ線撮影用補助具において、前記Ｘ線発生器から照射されるＸ線の通過経路上に、照準指標を配置できることを特徴とする口内法Ｘ線撮影用補助具である。
【００１１】
請求項１の発明では、Ｘ線発生器から照射されるＸ線の通過経路上に照準指標を配置できるので、請求項１の発明を実施すると、患部に照準を合わせ易くなる。よって、撮影者は、勘や感覚によらず、口腔外からＸ線の照射経路を確認でき、容易かつ速やかに撮影箇所である患部に照準を合わせることができる。その結果、Ｘ線撮影を速やかに終えることができるので、患者に苦痛を感じさせる時間を短縮することができる。
【００１２】
請求項２の発明は、前記照準指標が、Ｘ線の通過経路上から退避可能であることを特徴とする請求項１に記載の口内法Ｘ線撮影用補助具である。
【００１３】
請求項２の発明では、照準指標がＸ線の通過経路上から退避可能であるので、請求項２の発明を実施してＸ線照射時に照準指標をＸ線の通過経路上から退避させると、照射されたＸ線は照準指標を通過せずに患部に到達することができる。よって、正確で明瞭なＸ線写真を得ることができる。
【００１４】
請求項３の発明は、固定部と可動部とを有する照準器の固定部が支持アームに摺動可能に設置されており、可動部に前記照準指標が設けられていることを特徴とする請求項１又は請求項２に記載の口内法Ｘ線撮影用補助具である。
【００１５】
請求項３の発明では、照準器の固定部が支持アームに設置されており、可動部に照準指標が設けられているので、可動部を動作させると照準指標が移動する。請求項３の発明を実施すると、撮影者は可動部を動作させるだけで照準指標をＸ線の通過経路上に配置でき、患者の口内のＸ線撮影を容易かつ速やかに行うことができるようになる。
【００１６】
請求項４の発明は、照準器の可動部は、固定部に対して回動及び停止が可能であることを特徴とする請求項３に記載の口内法Ｘ線撮影用補助具である。
【００１７】
請求項４の発明では、照準器の可動部は、固定部に対して回動及び停止が可能であるので、請求項４の発明を実施すると、固定部に対して可動部を回動させるだけで照準指標をＸ線の通過経路上に配置したり、Ｘ線の通過経路上から退避させることができる。よって、撮影者の片手が、Ｘ線撮影用補助具を保持するために塞がっていても、もう一方の手で容易に照準を合わせる操作とＸ線撮影の操作とを実施することができる。
【００１８】
請求項５の発明は、照準指標が、Ｘ線の通過経路に沿って伸びていることを特徴とする請求項１乃至請求項４のうちのいずれかに記載の口内法Ｘ線撮影用補助具である。
【００１９】
請求項５の発明は、照準指標がＸ線の通過経路に沿って伸びているので、Ｘ線通過方向の長さが最小になった照準指標と、所望する撮影箇所とが重なると、照準が正確に設定される。すなわち、請求項５の発明を実施すると、Ｘ線撮影者は、より確実に撮影箇所に照準を合わせることができるようになる。
【発明の効果】
【００２０】
本発明を実施すると、撮影者は容易かつ速やかに撮影箇所である患部に照準を合わせることができるようになる。引いては、患者に苦痛を感じさせる時間を短縮することができるようになる。
【図面の簡単な説明】
【００２１】
【図１】本発明を実施した口内法Ｘ線撮影用補助具の分解斜視図である。
【図２】図１の口内法Ｘ線撮影用補助具の組立て後の斜視図である。
【図３】図２において照準器を退避させた状態の口内法Ｘ線撮影用補助具の斜視図である。
【図４】（ａ）はアダプタ部の分解横断面図であり、（ｂ）はアダプタ部の組立横断面図であり、（ｃ）はアダプタ部の縦断面図である。
【図５】図１とは別の照準器を採用した口内法Ｘ線撮影用補助具の分解斜視図である。
【図６】図５の口内法Ｘ線撮影用補助具の組立て後の斜視図である。
【図７】図６において、照準器を退避させた状態の口内法Ｘ線撮影用補助具の斜視図である。
【図８】患者の口内の撮影をしている状態を示す斜視図である。
【図９】患者の口内の図８とは別の部位の撮影をしている状態を示す斜視図である。
【図１０】本発明を実施した口内法Ｘ線撮影用補助具の斜視図である。
【図１１】図１０において、照準器が退避した状態の口内法Ｘ線撮影用補助具の斜視図である。
【図１２】図２及び図１０とは別の照準指標を備えた口内法Ｘ線撮影用補助具の斜視図である。
【図１３】図１２において照準器が退避した状態の口内法Ｘ線撮影用補助具の斜視図である。
【図１４】（ａ），（ｂ）は、各々図１２に示す照準指標の変形例の斜視図である。
【図１５】特許文献１の口内法Ｘ線撮影用補助具の斜視図である。
【発明を実施するための形態】
【００２２】
図１は、本発明を実施した口内法Ｘ線撮影用補助具１（以下、補助具１と呼ぶ。）の分解斜視図であり、図２は、図１の補助具１の組立て後の斜視図であり、図３は図２の補助具１の照準器を退避させた状態の斜視図である。また、図８は、患者の口内の撮影をしている状態を示す斜視図であり、図９は、患者の口内の図８とは別の部位の撮影をしている状態を示す斜視図である。
【００２３】
図１に示すように補助具１は、Ｘ線発生器４のＸ線照射部４０（図８）に装着するアダプタ部１０と、Ｘ線フィルムを装填するフィルムホルダ３０、及びアダプタ部１０に対してフィルムホルダ３０を一定の間隔を置いて保持する支持アーム２０と、照準器２５とで構成されている。本発明の補助具は、従来の補助具と同様の構成を備えているが、さらに照準器を備えている点が従来の補助具と大きく相違している。この補助具１をＸ線発生器４のＸ線照射部４０に装着し、患者の口内のＸ線撮影を実施する。
【００２４】
以下、順次各構成について説明する。
図４（ａ）はアダプタ部の分解横断面図であり、図４（ｂ）はアダプタ部の組立横断面図であり、図４（ｃ）はアダプタ部の縦断面図である。
図４（ａ）〜図４（ｃ）に示すようにアダプタ部１０は、従来の補助具において採用されている環状のアダプタ本体１１と回動体３とを備えている。回動体３はアダプタ本体１１の小径部分の外径よりも大きい内径を有しており、回動体３がアダプタ本体１１に外嵌し、環状固定部材５とアダプタ本体１０の大径部とで軸方向への移動が規制される。すなわち、ねじ６が環状固定部材５の複数箇所に設けられた孔５ａを貫通し、さらにアダプタ本体１０に設けたねじ穴１１ｂに螺合して回動体３とアダプタ本体１０とが軸方向には移動しないが、回動はできるように一体化されている。よって、回動体３が撮影者に支持されて固定されると、アダプタ本体１１が回動体３に対して回動できるようになる。
【００２５】
アダプタ本体１１にはＸ線照射器４のＸ線照射部４０（図８）を貫通させる孔１１ａが設けられている。また、アダプタ本体１１には半径方向にのびるねじ孔１１ｃが設けられており、このねじ孔１１ｃには固定つまみ１３が外側からねじ込まれ、固定つまみ１３の先端部１３ａは、孔１１ａ内に侵入することができるようになっている。アダプタ部１０にＸ線照射部４０を嵌め、固定つまみ１３をねじ込んで先端部１３ａを孔１１ａ内へ侵入させると、先端部１３ａがＸ線照射部４０の円筒側面を押圧し、Ｘ線照射器４にアダプタ部１０を固定することができる。
【００２６】
また、アダプタ部１０（回動体３）の下部には、従来のアダプタ部と同様の固定金具１４が固着されている。すなわち、平板状の固定金具１４には１つのねじ孔１４ａと２つの孔１４ｂとが設けられており、回動体３には孔１４ｂに対応する位置にねじ穴３ａが設けられている。そしてねじ８が孔１４ｂを貫通し、さらにねじ穴３ａに螺合することによって固定金具１４は回動体３に一体固着される。
【００２７】
ところで、回動体３には溝３ｂが設けてあり、溝３ｂの開口が固定金具１４で閉鎖されるようになっている。固定金具１４のねじ孔１４ａには、ねじ部を備えた固定つまみ１２が螺合し、ねじ込む深さを調整することにより、ねじ部の先端が溝３ｂ内に侵入したり、退避できるようになっている。
【００２８】
回動体３の溝３ｂと固定金具１４とで形成された空間には、支持アーム２０が配置される。支持アーム２０は、固定金具１４にねじ込まれた固定つまみ１２のねじ部の先端部分に押圧されて、アダプタ部１０に固定されるようになっている。この支持アーム２０の一端にはＸ線撮影用のフィルムホルダ３０が装着されている。フィルムホルダ３０は、支持アームがアダプタ部１０に設置されると、Ｘ線照射部４０の中心線３５（Ｘ線の通過経路）上にちょうど配置されるようになっている。
【００２９】
Ｘ線照射器４からフィルムホルダ３０までの距離は、アダプタ部１０に対する支持アーム２０の固定位置で調整する。支持アーム２０は、固定つまみ１２を緩めることにより矢印方向に移動させることができ、所望する位置まで移動させた後に、固定つまみ１２を締め付けることにより、アダプタ部１０に固定することができる。Ｘ線照射器４は、固定つまみ１３を締め付けることにより、アダプタ部１０を固着させることができ、固定つまみ１３を緩めると、アダプタ部１０を取り外すことができるようになっている。
ちなみに、支持アーム２０には、以下で詳述する照準器２５を装着してからアダプタ部１０を装着する。
【実施例】
【００３０】
次に、本発明の特徴的な構成である照準器２５について説明する。
図１に示すように照準器２５は、略９０度湾曲形成された可動部２６と、可動部２６に装着された照準指標２８と、可動部２６を回動可能に支持する固定部２７とで構成されている。
【００３１】
可動部２６は、筒状部２６ａとアーム部２６ｂとを備えており、アーム部２６ｂの一端が筒状部２６ａに一体固着されており、アーム部２６ｂの他端側には照準指標２８が一体固着されている。アーム部２６ｂの途中は９０度に湾曲している。
【００３２】
一方、固定部２７は、可動部２６の筒状部２６ａの内部に入る大きさの本体部と、筒状部２６ａと本体部とが軸方向に移動しないようにするフランジ部２７ａとを備えている。また、固定部２７（本体部）には、支持アーム２０をちょうど貫通させる大きさの貫通孔２９が設けられている。この貫通孔２９に支持アーム２０を貫通させると、図２に示すように照準器２５を補助具１に容易に装着することができる。そして、照準器２５は、支持アーム２０に沿って摺動可能である。
また、照準指標２８は、アクリル樹脂等の透明な素材で形成されており、十字のターゲットゲージが刻まれている。
【００３３】
可動部２６と固定部２７は、上述のように構成されているので、可動部２６は、固定部２７に対して回動可能である。ところで、可動部２６の回動を所定の位置で制限し、その停止で照準指標２８のターゲットゲージが中心線３５上にくるようにすれば、撮影者は容易に中心線３５上に照準指標２８を配置することができる。そのための構成として、可動部２６の筒状部２６ａ側には突起３２が設けてあり、フランジ部２７ａには円弧状の切欠部３３が設けてある。突起３２は、切欠部３３の範囲で移動でき、突起３２が切欠部３３の一方の端部に当接すると可動部２６の回動が停止し、照準指標２８がＸ線の通過経路である中心線３５上に配置される。また、突起３２が切欠部３３の反対側の端部に当接すると、照準指標２８が完全に中心線３５上から退避し、Ｘ線撮影を良好に行うことができるようになる。
【００３４】
次に、実際にこの本発明の補助具１を使用してＸ線撮影する手順を説明する。
患者の口内の撮影箇所を変更する際には、撮影者は片手（例えば左手）でＸ線照射器４を保持した状態、つまり、アダプタ本体１１（停止部側）を停止させた状態で、もう一方の手（右手）で回動体３（可動部側）を撮影し易い所定の位置まで回動させる。
【００３５】
図８，図９に示すように、補助具１は、Ｘ線照射部４０に装着する部位に対して、支持アーム２０を設置する部位を回動させても、常にＸ線照射部４０の中心線３５（図１〜図３）が、フィルムホルダ３０の支点（中心）３０ａを通るため、口内の上下左右を、良好にＸ線撮影することができる。また、Ｘ線撮影の前に、予め照準器２５の照準指標２８を中心線３５上に配置することにより、口腔外から中心線３５を患部（撮影したい箇所）に容易に位置合わせすることができるようになる。図８，図９では、照準が設定されて、照準指標２８が撮影の邪魔にならないように退避している状態が示されている。
【００３６】
次に、本発明の別の実施の形態について説明する。
図５は、図１とは別の照準器を採用した口内法Ｘ線撮影用補助具の分解斜視図であり、図６は、図５の補助具の組立て後の斜視図であり、図７は、図６の補助具の照準器を退避させた状態の斜視図である。補助具１ａのアダプタ部１０と支持アーム２０の構成は、上述の補助具１と同じなので、重複する説明は省略する。補助具１ａでは、照準器１５の構成だけが補助具１の照準器２５と相違している。
【００３７】
図５に示すように照準器１５は、略９０度湾曲形成された可動部１６と、可動部１６の先端に装着された照準指標１８と、可動部１６を回動可能に支持する固定部１７とで構成されている。
【００３８】
固定部１７には、支持アーム２０をちょうど貫通させる大きさの貫通孔２２が設けられており、さらに固定部１７の一端には図１で見て鉛直方向に平行なフランジ部１９ａ，１９ｂが設けられている。これらのフランジ部１９ａ，１９ｂには各々孔２１ａ，２１ｂ（ただし、２１ｂは図示せず）が設けられている。孔２１ａと孔２１ｂ（図示せず）は、中心が一致しており、同一のピン（図示せず）で孔２１ａと孔２１ｂを貫通できるようになっている。また、可動部１６の下端には、孔２１ａ及び孔２１ｂに対応する孔１６ａが設けられている。すなわち、可動部１６の下端を固定部１７の二つのフランジ部１９ａ，１９ｂの間に差し入れ、孔２１ａ，孔２１ｂ，及び孔１６ａの中心を一致させて、同一のピン（図示せず）で貫通し、可動部１６と固定部１７とを回動可能に連結する。固定部１７の上縁部１７ａは、可動部１６の回動のストッパとして機能する。すなわち、可動部１６が回動すると、やがて上縁部１７ａに当接して回動が停止する。
【００３９】
固定部１７の貫通孔２２に支持アーム２０を貫通させると、図６に示すように照準器１５を補助具１ａに容易に装着することができる。そして、照準器１５は、支持アーム２０に沿って摺動可能である。また、支持アーム２０に固定部１７を設置すると、可動部１６の回動は、図７に示すように支持アーム２０によって制限される。すなわち、可動部１６は図７に示す状態で待機しており、支持アーム２０に対する可動部１６の位置が固定されるので、照準のセットと可動部１６（照準指標１８）の退避とをワンタッチで切換えることができる
【００４０】
次に、実際にこの本発明の補助具１ａを使用してＸ線撮影する手順を説明する。
患者の口内の撮影箇所を変更する際には、撮影者は片手（例えば左手）でＸ線照射器４を保持した状態、つまり、アダプタ本体１１（停止部側）を停止させた状態で、もう一方の手（右手）で回動体３（可動部側）を撮影し易い所定の位置まで回動させる。
【００４１】
そして、右手で可動部１６を患者側へ回動させて図６に示す状態とし、可動部１６を固定部１７の上縁部１７ａに当接させることによって照準指標１８を中心線３５上に配置し、患部（撮影したい箇所）に照準を定める。その後、図７に示すように可動部１６を撮影者側へ回動させて照準指標１８を中心線３５上から退避させ、Ｘ線撮影を行う。
【００４２】
次に、図１０，図１１を参照しながら上述の実施の形態の別の変形例を説明する。図１０は、本発明を実施した口内法Ｘ線撮影用補助具の斜視図であり、図１１は、図１０において照準器が退避した状態の口内法Ｘ線撮影用補助具１ｂの斜視図である。
【００４３】
図１０に示す口内法Ｘ線撮影用補助具１ｂの構成は、照準器４８以外は図６の口内法Ｘ線撮影用補助具１ａの構成と同じであるので、重複する説明は省略する。図１０に示すように口内法Ｘ線撮影用補助具１ｂの照準器４８は、支持アーム２０に摺動可能に装着された固定部４７に対して、可動部４６がヒンジ４９によって回動可能に接続されている。
【００４４】
照準器４８は、可動部４６の先端部分に照準指標４８を備えており、可動部４６の根元部分がヒンジ４９で回動可能となっている。ヒンジ４９には回動ストッパが設けてある。この回動ストッパは、可動部４６が回動して照準指標４８が中心線３５上にくると可動部４６の回動が停止するように作用する。すなわち、図１０に示すように可動部４６が起立状態になると、照準指標４８が中心線３５上に配置される。
【００４５】
また、Ｘ線撮影の照準が定まると、撮影者は可動部４６を撮影者側に倒し、照準指標４８を中心線３５上から退避させる。その際、可動部４６は、固定部４７に対して起立状態から略直角に回動して支持アーム２０に沿った状態となる。
【００４６】
撮影箇所が複数存在する場合には、１箇所の撮影が完了した後、可動部４６の姿勢を図１１に示す退避状態から図１０に示す起立状態に変更し、再度別の撮影箇所に照準を合わせる。
【００４７】
以上説明した例では、照準器（１５，２５，４５）は可動部（１６，２６，４６）を備えており、Ｘ線撮影時には照準指標（１８，２８，４８）がＸ線の通過経路（中心線３５）上から退避する構成としたが、照準指標が、Ｘ線撮影に悪影響を及ぼさない素材で構成されていれば、必ずしも退避させる必要はなく、図２，図６，及び図１０に示すように照準指標が中心線３５上に配置された状態で照準器を固定してもよい。
【００４８】
本発明を実施した口内法Ｘ線撮影用補助具は、携帯型及び据置型のいずれの形態にも採用することができる。従って、往診時に撮影者が携帯型の口内法Ｘ線撮影用補助具を所持したり、治療室に据置型の口内法Ｘ線撮影用補助具を常設して使用することもできる。もちろん、治療室において、携帯型の口内法Ｘ線撮影用補助具を使用することもできる。
【００４９】
照準器は上述したものの他、図１２に符号５９で示す形態のものも採用できる。図１２は、図２及び図１０とは別の照準指標を備えた口内法Ｘ線撮影用補助具の斜視図であり、図１３は、図１２において照準器が退避した状態の口内法Ｘ線撮影用補助具の斜視図である。
【００５０】
図１２に示す口内法Ｘ線撮影用補助具１ｃは、照準器５９を備えている。照準器５９は、固定部５１，ヒンジ５２，可動部５３，及び照準指標５４を備えている。固定部５１は支持アーム２０に移動可能に装着されており、可動部５３はヒンジ５２で回動可能に固定部５１に接続されている。ヒンジ５２の軸は支持アーム２０の長手方向に沿って配置されており、可動部５３は支持アーム２０の長手方向と直交する方向に回動する。
【００５１】
また、可動部５３の先端は、照準指標５４として機能する。図１２に示すように可動部５３を起立させると、可動部５３の先端（照準指標５４）が中心線３５上に配置される。照準指標５４は、中心線３５に沿った幅Ｄを有している。よって、撮影者から見て、照準指標５４が撮影箇所に重なると（すなわち、中心線３５上に照準指標５４が配置されると）Ｘ線撮影の照準がセットされる。
【００５２】
仮に、撮影者から見て照準指標５４の幅Ｄが最小となっていなければ、撮影者の視線は中心線３５上にはなく、照準は合わせにくい。しかし、撮影者が見て幅Ｄが最小に見えると、照準指標５４を撮影箇所に合わせるだけで照準は適正に設定でき、撮影箇所にＸ線が照射可能になる。このように、照準指標５４は中心線３５（撮影者の視線）に沿ってベクトル化されており、このベクトルに撮影箇所を重ねると、撮影箇所にＸ線の照射位置を確実に設定できる。
【００５３】
図１２，図１３の例では、照準指標５４は可動部５３の先端としたが、図１４（ａ），（ｂ）に示すように、照準指標は可動部の途中の部分に設定することもできる。図１４（ａ），（ｂ）は、各々図１２に示す照準指標の変形例の斜視図である。
【００５４】
図１４（ａ）に示す例の照準器５７では、可動部５３ａの途中の部位に、幅Ｄ方向（支持アーム２０の長手方向）に伸びる切欠部５５が設けられている。また、図１４（ｂ）に示す照準指標５８の例では、可動部５３ｂが透明な素材で構成されており、可動部５３ｂの途中の部位に直線状に着色された印５６が設けられている。
【００５５】
すなわち、可動部の途中に、幅Ｄに渡って形成された切欠部５５や印５６が、撮影者から最小に見え、切欠部５５や印５６が撮影箇所に重なると、Ｘ線撮影の照準が適切にセットされる。
【産業上の利用可能性】
【００５６】
本発明は、歯科医療における携帯性を有する口内法Ｘ線撮影用補助具に関し、該口内法Ｘ線撮影用補助具は、歯科医院内のみならず、歯科医院以外の場所にいる被撮影者の口内を撮影する場合に利用できる。
【符号の説明】
【００５７】
１，１ａ，１ｂ    口内法Ｘ線撮影用補助具
３                回動体
４                Ｘ線発生器
１０              アダプタ部
１５，２５，４５，５７，５８  照準器
１６，２６，４６  可動部
１７，２７，４７  固定部
１８，２８，４８，５４  照準指標
２０              支持アーム
３０              フィルムホルダ
４０              Ｘ線照射部
５５              切欠部（照準指標）
５６              印（照準指標）
【図１】
2010029637.tif 000003
【図２】
2010029637.tif 000004
【図３】
2010029637.tif 000005
【図４】
2010029637.tif 000006
【図５】
2010029637.tif 000007
【図６】
2010029637.tif 000008
【図７】
2010029637.tif 000009
【図８】
2010029637.tif 000010
【図９】
2010029637.tif 000011
【図１０】
2010029637.tif 000012
【図１１】
2010029637.tif 000013
【図１２】
2010029637.tif 000014
【図１３】
2010029637.tif 000015
【図１４】
2010029637.tif 000016
【図１５】
2010029637.tif 000017